(57)【要約】【課題】金属屑が付着することを低減する。【解決手段】ハンディ機器１０は、筐体１２と、筐体１２に設けられる磁石１４とを有し、金属盤ＭＢに対して着脱可能な可搬型の機器である。このハンディ機器１０は、筐体１２において金属盤ＭＢに取り付ける側の取付面１２ａを正面として視た場合に磁石１４の周囲を囲むように設けられ、金属盤ＭＢから筐体１２が取り外されるときに先端部位１６ａが筐体１２の取付面１２ａから離れる方向へ延びるように移動可能な移動部１６を備える。【選択図】図１
2019141980.tif 000002
【特許請求の範囲】
【請求項１】
筐体と、前記筐体に設けられる磁石とを有し、金属盤に対して着脱可能な可搬型のハンディ機器であって、
前記筐体において前記金属盤に取り付ける側の取付面を正面として視た場合に前記磁石の周囲を囲むように設けられ、前記金属盤から前記筐体が取り外されるときに先端部位が前記取付面から突出する方向に移動可能な移動部
を備える、ハンディ機器。
【請求項２】
請求項１に記載のハンディ機器であって、
前記移動部は、
前記筐体を貫通して設けられ、前記磁石の周囲を囲む状態で貫通方向に沿ってスライド可能な管状のスライド部と、
前記金属盤から前記筐体が取り外されるときに前記スライド部が前記取付面から突出する方向に移動するように前記スライド部を付勢する付勢部と、
を備える、ハンディ機器。
【請求項３】
請求項２に記載のハンディ機器であって、
前記付勢部の付勢力は、前記磁石の吸着力よりも小さい、ハンディ機器。
【請求項４】
請求項１に記載のハンディ機器であって、
前記移動部は、前記筐体の取付面側に設けられ、前記金属盤から前記筐体が取り外されるときに前記取付面から突出する方向に延びる蛇腹部材である、ハンディ機器。
【請求項５】
請求項４に記載のハンディ機器であって、
前記磁石は、前記蛇腹部材の内部に配置される、ハンディ機器。
【請求項６】
請求項１〜５のいずれか１項に記載のハンディ機器であって、
前記先端部位は、前記筐体に設けられる凹部に収まる、ハンディ機器。
【請求項７】
請求項１〜６のいずれか１項に記載のハンディ機器であって、
前記ハンディ機器は、工作機械を操作する操作装置である、ハンディ機器。
【発明の詳細な説明】
【技術分野】
【０００１】
本発明は、金属盤に対して着脱可能な可搬型のハンディ機器に関する。
【背景技術】
【０００２】
可搬型のハンディ機器として、例えば、リモートコントローラなどの操作装置が挙げられ、この操作装置を金属盤に対して着脱可能にするものとして磁石がある。例えば、下記の特許文献１には、遠隔操作するリモコンが磁石を有し、その磁石の磁力によって壁にリモコンが着脱可能に固定された着脱構造が開示されている。
【先行技術文献】
【特許文献】
【０００３】
【特許文献１】特開２０１１−１７１８号公報
【発明の概要】
【発明が解決しようとする課題】
【０００４】
ところで、工作機械が設けられる工場などでは、その工作機械を操作する操作装置を使用しない場合に、その操作装置側に設けられる磁石によって工作機械を載置する金属土台などの金属盤に吸着しておく。
【０００５】
しかし、工作機械の切削加工などにより発生した金属片や金属粉などの金属屑が磁石の磁力により操作装置の筐体に付着する場合があり、その金属屑が付着した状態で金属盤に取り付けると、金属盤に傷などが生じ易い。また、操作装置の筐体に付着した金属屑をその筐体から取り除く作業は煩雑化する傾向にある。
【０００６】
そこで、本発明は、金属屑の付着を低減し得るハンディ機器を提供することを目的とする。
【課題を解決するための手段】
【０００７】
本発明の態様は、筐体と、前記筐体に設けられる磁石とを有し、金属盤に対して着脱可能な可搬型のハンディ機器であって、前記筐体において前記金属盤に取り付ける側の取付面を正面として視た場合に前記磁石の周囲を囲むように設けられ、前記金属盤から前記筐体が取り外されるときに先端部位が前記取付面から突出する方向に移動可能な移動部を備える。
【発明の効果】
【０００８】
上記の態様のハンディ機器によれば、磁石の周囲を囲む移動部が、金属盤から筐体を取り外したときには突出していることで、磁石の磁力により筐体に金属屑が引き寄せられることを抑制することができ、この結果、金属屑の付着を低減することができる。
【図面の簡単な説明】
【０００９】
【図１】実施の形態のハンディ機器を示す概略斜視図である。
【図２】図１の筐体の取付面を正面として視た場合を示す図である。
【図３】金属盤から取り外された状態のハンディ機器を示す断面図である。
【図４】金属盤に取り付けられた状態のハンディ機器を示す断面図である。
【図５】図１のスライド部の動作の様子を示す断面図である。
【図６】変形例１の移動部を示す斜視図である。
【図７】変形例１の移動部を含むハンディ機器を図３と同じ視点で示す断面図である。
【図８】変形例１の移動部を含むハンディ機器を図４と同じ視点で示す断面図である。
【図９】変形例２のハンディ機器を図４と同じ視点で示す断面図である。
【発明を実施するための形態】
【００１０】
本発明に係るハンディ機器について、好適な実施の形態を掲げ、添付の図面を参照しながら以下、詳細に説明する。
【００１１】
図１は、ハンディ機器１０の概略斜視図である。ハンディ機器１０は、金属盤に対して着脱可能な可搬型の機器である。本実施の形態では、ハンディ機器１０は、工具を用いて加工対象物を切削する切削装置、あるいは、加工対象物に対して放電加工を施す放電加工装置などの工作機械を操作する操作装置であり、その工作機械を載置する金属土台などの金属盤ＭＢ（図４参照）に着脱可能である。
【００１２】
ハンディ機器１０は、筐体１２、磁石１４および移動部１６を主に備える。筐体１２は、中空の容器であり、取付面１２ａを有する。取付面１２ａは、筐体１２において金属盤ＭＢに取り付ける側の筐体壁の表面である。本実施の形態の筐体１２は、取付面１２ａと反対側に操作面１２ｂを有する。この取付面１２ａには、ランドルト環状の貫通孔Ｈが形成され、操作面１２ｂには、例えば、工作機械を操作するための複数の操作キーＫが配置される。
【００１３】
磁石１４は、金属盤ＭＢを吸着するためのものであり、筐体１２に設けられる。本実施の形態の磁石１４は、円盤状の永久磁石であり、筐体１２の内部に設けられる。具体的には、磁石１４は、筐体１２に形成されたランドルト環状の貫通孔Ｈの内側の内面（取付面１２ａの裏面）に固定される。
【００１４】
移動部１６は、金属盤ＭＢから筐体１２が取り外されるときに先端部位１６ａが筐体１２の取付面１２ａから外部に突出する方向に移動可能なものである。なお、磁石１４が金属盤ＭＢを吸着するときには、移動部１６は、筐体１２の取付面１２ａ側に先端部位１６ａが退くように移動する。
【００１５】
図２は筐体１２の取付面１２ａを正面として視た場合を示す図である。移動部１６は、筐体１２の取付面１２ａを正面として視た場合に磁石１４の周囲を囲むように設けられている。
【００１６】
図３は金属盤ＭＢから取り外された状態のハンディ機器１０を示す断面図であり、図４は金属盤ＭＢに取り付けられた状態のハンディ機器１０を示す断面図である。本実施の形態の移動部１６は、スライド部２０と、付勢部２２とを有する。
【００１７】
スライド部２０は、樹脂などの非金属製であり、管状に形成される。このスライド部２０は、筐体１２を貫通して設けられ、磁石１４の周囲を囲む状態で貫通方向に沿ってスライド可能とされる。
【００１８】
すなわち、スライド部２０は、ランドルト環状の貫通孔Ｈに対してスライド可能に挿通されることで、その貫通孔Ｈの内側に配置される磁石１４との間に隙間を開けて磁石１４を囲っている。これにより、スライド部２０は、磁石１４の磁力により筐体１２に金属屑が引き寄せられることを抑制することができる。
【００１９】
なお、磁石１４が筐体１２の取付面１２ａに金属屑を付着しないようにするため、管状のスライド部２０の厚み、非金属製のスライド部２０の材質、および、管状のスライド部２０と管内に配置される磁石１４との空隙などを設定することができる。
【００２０】
本実施の形態のスライド部２０は、一端から他端にわたって長手方向に延在するスリット２０ａ（図１、図２参照）を有し、そのスリット２０ａは、ランドルト環状の貫通孔Ｈの端部の間にスライド可能に配置される。また、管状のスライド部２０における長手方向の一端および他端は塞がれ、このスライド部２０において筐体１２の外側に配置される側の端部が上記の先端部位１６ａである。
【００２１】
付勢部２２は、金属盤ＭＢから筐体１２が取り外されるときに、スライド部２０が筐体１２の取付面１２ａから突出する方向（以下、突出方向と略す）に移動するようにスライド部２０を付勢する。
【００２２】
本実施の形態の付勢部２２は、スライド部２０における筐体１２の内部側の端部と、スライド部２０の管内に配置される磁石１４とに接続される引張ばねである。付勢部２２の付勢力（引張ばねのばね力）は、磁石１４の吸着力よりも小さい関係にある。
【００２３】
すなわち、付勢部２２（引張ばね）は、筐体１２が金属盤ＭＢから取り外されている状態（図３参照）では自然長であり、磁石１４が金属盤ＭＢを吸着して筐体１２が金属盤ＭＢに取り付けられている状態（図４参照）では引っ張られる。なお、図３および図４では、引張ばねは、便宜的に線で示している。
【００２４】
次に、移動部１６の動作を説明する。筐体１２が金属盤ＭＢから取り外されている取外状態（図３参照）では、移動部１６の付勢部２２（引張ばね）は自然長の状態であり、スライド部２０は突出方向に突出した状態である。この取外状態では、付勢部２２（引張ばね）は、突出方向にスライド部２０を付勢することで、筐体１２の内部にスライド部２０が引っ込むように移動することを規制している。
【００２５】
図５は、スライド部２０の移動の様子を示す図である。オペレータが筐体１２の取付面１２ａ側を金属盤ＭＢに押し付けることで、スライド部２０が突出方向とは逆方向にスライドする。このオペレータの押し付けに応じてスライドするスライド部２０によって磁石１４が金属盤ＭＢに近づいていく。
【００２６】
磁石１４と金属盤ＭＢとがある距離にまで近づくと、磁石１４は金属盤ＭＢを吸着する。上記のように、付勢部２２（引張ばね）のばね力は磁石１４の吸着力よりも小さい。このため、磁石１４が金属盤ＭＢを吸着した場合にはその吸着力によってスライド部２０が突出方向とは逆方向に沿って筐体１２の内部側にスライドし、このスライドに応じて付勢部２２（引張ばね）が引っ張られる。
【００２７】
スライド部２０における筐体１２の外部側の端部がその筐体１２の取付面１２ａに当接すると、スライド部２０の移動が停止し、付勢部２２（引張ばね）が引っ張られた状態が維持される（図４参照）。
【００２８】
ここで、筐体１２が金属盤ＭＢから取り外されて磁石１４の吸着が解除されると、付勢部２２（引張ばね）は、引っ張られた状態（図４参照）から自然長の状態（図３参照）に復帰することで、スライド部２０が突出方向にスライドする。これにより移動部１６（スライド部２０）の先端部位１６ａは、筐体１２の取付面１２ａから離間して突出する。
【００２９】
このようにハンディ機器１０では、磁石１４の周囲を囲む管状のスライド部２０が、金属盤ＭＢから筐体１２を取り外したときには突出することで、磁石１４の磁力により筐体１２に金属屑が引き寄せられることを抑制することができる。したがって、このハンディ機器１０は、金属屑の付着を低減することができる。
【００３０】
〔変形例〕
以上、本発明の一例として上記実施の形態が説明されたが、本発明の技術的範囲は上記実施の形態に記載の範囲には限定されない。上記実施の形態に、多様な変更または改良を加えることが可能であることはもちろんである。その様な変更または改良を加えた形態も本発明の技術的範囲に含まれ得ることが、特許請求の範囲の記載から明らかである。
【００３１】
なお、変更または改良を加えた形態の一部は変形例として以下に説明する。ただし、上記実施の形態において説明した構成と同等の構成については同一の符号を付し、重複する説明は省略する。
【００３２】
［変形例１］
図６は、変形例１の移動部２６を示す斜視図である。なお、図６では、移動部２６の一部が便宜的に切り取られた状態で示されているが、実際には切り取られていない。変形例１の移動部２６は、蛇腹部材である点で、スライド部２０および付勢部２２を有する移動部１６とは異なる。この移動部２６は、樹脂などの非金属製であり、磁石１４を内蔵している。
【００３３】
図７は、変形例１の移動部２６を含むハンディ機器１０を図３と同じ視点で示す断面図であり、図８は、変形例１の移動部２６を含むハンディ機器１０を図４と同じ視点で示す断面図である。移動部２６は、筐体１２の取付面１２ａ側に設けられる。
【００３４】
具体的には、移動部２６は、筐体１２の取付面１２ａ側に形成された凹部１２ｃに設けられており、その凹部１２ｃに収容されている部分の内部に磁石１４を有する。これにより、移動部２６は、磁石１４の磁力により筐体１２に金属屑が引き寄せられることを抑制することができる。なお、磁石１４は、移動部２６に内蔵されることに代えて、上記実施の形態と同様に、筐体１２の内面（凹部１２ｃの内面）に固定されていてもよい。
【００３５】
移動部２６（蛇腹部材）は、金属盤ＭＢから筐体１２が取り外されるときに突出方向に延びる。すなわち、筐体１２が金属盤ＭＢから取り外されている取外状態（図７参照）では、移動部２６（蛇腹部材）は、自然長の状態であり、凹部１２ｃの開口よりも突出方向に突出している。
【００３６】
これに対し、磁石１４が金属盤ＭＢを吸着して筐体１２が金属盤ＭＢに取り付けられている取付状態（図８参照）では、移動部２６（蛇腹部材）は、自然長よりも圧縮した状態である。この取付状態から、筐体１２が金属盤ＭＢから取り外されて磁石１４の吸着が解除されると、移動部２６（蛇腹部材）は、圧縮した状態（図８参照）から自然長の状態（図７参照）に復帰することで突出方向に延びる。これにより移動部２６の先端部位２６ａは、筐体１２の取付面１２ａから離間して外側に突出する。
【００３７】
このように、移動部２６（蛇腹部材）は、取付時に自ら圧縮することで、金属盤ＭＢから筐体１２が取り外されるときに突出方向へ移動するように付勢している。したがって、移動部２６（蛇腹部材）は、金属盤ＭＢから筐体１２を取り外したときに、筐体１２の凹部１２ｃから突出することで、上記実施の形態と同様に、磁石１４の磁力により筐体１２に金属屑が引き寄せられることを抑制することができる。
【００３８】
なお、この変形例１では、金属盤ＭＢに筐体１２が取り付けられている取付状態（図８参照）では、移動部２６（蛇腹部材）の先端部位２６ａが凹部１２ｃに収まっている。したがって、筐体１２と金属盤ＭＢとの間に隙間が形成されなくなるため、金属盤ＭＢに筐体１２を安定して吸着させることができる。
【００３９】
［変形例２］
図９は、変形例２のハンディ機器１０を図４と同じ視点で示す断面図である。変形例２のハンディ機器１０は、筐体１２の取付面１２ａ側に凹部１２ｃを有している点で、当該凹部１２ｃを有していなかった上記実施の形態のハンディ機器１０と異なる。
【００４０】
スライド部２０は、この凹部１２ｃの底部位を貫通して設けられ、磁石１４の周囲を囲む状態で貫通方向に沿ってスライド可能である。これにより、上記変形例１と同様に、金属盤ＭＢに筐体１２が取り付けられている取付状態では、移動部１６（スライド部２０）の先端部位１６ａが凹部１２ｃに収まることになる。したがって、筐体１２と金属盤ＭＢとの間に隙間が形成されなくなるため、金属盤ＭＢに筐体１２を安定して吸着させることができる。
【００４１】
［変形例３］
上記実施の形態では、ハンディ機器１０が工作機械を操作する操作装置であったが、工作機械以外の機械や器具などを操作する操作装置であってもよい。また、ハンディ機器１０は、操作キーＫを含まない電子機器であってもよく、電子部品を含まない器具であってもよい。要するに、ハンディ機器１０は、金属盤ＭＢに対して着脱可能な可搬型のものであればよい。
【００４２】
［変形例４］
上記実施の形態および上記変形例１〜３は、矛盾の生じない範囲で任意に組み合わされてもよい。
【００４３】
〔技術的思想〕
上記実施の形態および変形例から把握し得る技術的思想について、以下に記載する。
【００４４】
ハンディ機器（１０）は、筐体（１２）と、筐体（１２）に設けられる磁石（１４）とを有し、金属盤（ＭＢ）に対して着脱可能な可搬型の機器である。このハンディ機器（１０）は、筐体（１２）において金属盤（ＭＢ）に取り付けられる側の取付面（１２ａ）を正面として視た場合に磁石（１４）の周囲を囲むように設けられ、金属盤（ＭＢ）から筐体（１２）が取り外されるときに先端部位（１６ａ、２６ａ）が取付面（１２ａ）から突出する方向に移動可能な移動部（１６、２６）を備える。
【００４５】
このハンディ機器（１０）によれば、磁石（１４）の周囲を囲む移動部（１６）が、金属盤（ＭＢ）から筐体（１２）を取り外したときには突出していることで、磁石（１４）の磁力により筐体（１２）に金属屑が引き寄せられることを抑制することができ、この結果、金属屑の付着を低減することができる。
【００４６】
移動部（１６）は、筐体（１２）を貫通して設けられ、磁石（１４）の周囲を囲む状態で貫通方向に沿ってスライド可能な管状のスライド部（２０）と、金属盤（ＭＢ）から筐体（１２）が取り外されるときにスライド部（２０）が取付面（１２ａ）から突出する方向に移動するようにスライド部（２０）を付勢する付勢部（２２）と、を備えるようにしてもよい。このようにしても、金属屑の付着を低減することができる。
【００４７】
付勢部（２２）の付勢力は、磁石（１４）の吸着力よりも小さくするようにしてもよい。このようにすれば、磁石（１４）による金属盤（ＭＢ）の吸着だけで、金属盤（ＭＢ）に筐体（１２）が取り付けられた状態を保持することができる。
【００４８】
移動部（２６）は、筐体（１２）の取付面（１２ａ）側に設けられ、金属盤（ＭＢ）から筐体（１２）が取り外されるときに取付面（１２ａ）から突出する方向に延びる蛇腹部材であるようにしてもよい。このようにしても、金属屑の付着を低減することができる。
【００４９】
磁石（１４）は、蛇腹部材の内部に配置されるようにしてもよい。このようにすれば、金属屑の付着を低減し易い。
【００５０】
先端部位（１６ａ、２６ａ）は、筐体（１２）に設けられる凹部（１２ｃ）に収まるようにしてもよい。このようにすれば、筐体（１２）と金属盤（ＭＢ）との間に隙間が形成されなくなるため、金属盤（ＭＢ）に筐体（１２）を安定して吸着させることができる。
【００５１】
ハンディ機器（１０）は、工作機械を操作する操作装置であってもよい。
【符号の説明】
【００５２】
１０…ハンディ機器                      １２…筐体
１４…磁石                              １６、２６…移動部
２０…スライド部                        ２２…付勢部
【図１】
2019141980.tif 000003
【図２】
2019141980.tif 000004
【図３】
2019141980.tif 000005
【図４】
2019141980.tif 000006
【図５】
2019141980.tif 000007
【図６】
2019141980.tif 000008
【図７】
2019141980.tif 000009
【図８】
2019141980.tif 000010
【図９】
2019141980.tif 000011